(57)【要約】【課題】小動物を逃がすことなく確実に捕獲することができる小動物捕獲器を提供する。【解決手段】捕獲箱内には、上記入口に臨むようにシーソー板が設けられ、上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、上記シーソー板がロックフリー状態のときに、シーソー板が奥に向かって下り傾斜となる動作を検知して確認可能とする動作確認手段と、上記奥に向かって下り傾斜となったシーソー板の傾斜状態を保持してロック可能なロック機構とを備え、上記ロック機構は、ロックフリー状態とロック可能状態とを切り換え可能になっている。【選択図】図２
2010193848.tif 000002
【特許請求の範囲】
【請求項１】
捕獲箱に形成された入口を閉鎖することにより上記入口から侵入した小動物を捕獲する小動物捕獲器であって、
捕獲箱内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記シーソー板がロックフリー状態のときに、シーソー板が奥に向かって下り傾斜となる動作を検知して確認可能とする動作確認手段と、
上記奥に向かって下り傾斜となったシーソー板の傾斜状態を保持してロック可能なロック機構とを備え、
上記ロック機構は、ロックフリー状態とロック可能状態とを切り換え可能になっていることを特徴とする小動物捕獲器。
【請求項２】
上記ロック機構は、シーソー板が入口との間に隙間を作る第１段階と入口を閉鎖する第２段階との２段階にシーソー板の傾斜状態を保持してロック可能とするよう構成されている請求項１記載の小動物捕獲器。
【請求項３】
上記シーソー板の奥側端部には、シーソー板の奥側端部と捕獲箱の床面を傾斜面で橋渡すブリッジ部材が連結されている請求項１または２記載の小動物捕獲器。
【発明の詳細な説明】
【技術分野】
【０００１】
本発明は、ネズミ、マングース、あらいぐま等の小動物を捕獲するために使用される小動物捕獲器に関する。
【背景技術】
【０００２】
従来より、ネズミ等の小動物を捕獲するために、例えば下記の特許文献１に示すように、シーソー板を利用した小動物捕獲箱が提供されている。この小動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記小動物捕獲箱は、シーソーの奥側がいっきに下がったときに磁石の吸引力で固定するようになっている。このため、捕獲された小動物が驚いて暴れだすと磁石が外れてしまい、せっかく捕獲した小動物に逃げられてしまうという問題がある。一方、鼠等の小動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。
【０００５】
本発明は、上記課題を解決するためになされたものであり、小動物を逃がすことなく確実に捕獲することができる小動物捕獲器を提供することをその目的とする。
【課題を解決するための手段】
【０００６】
上記の目的を達成するため、本発明の小動物捕獲器は、捕獲箱に形成された入口を閉鎖することにより上記入口から侵入した小動物を捕獲する小動物捕獲器であって、
捕獲箱内には、上記入口に臨むようにシーソー板が設けられ、
上記シーソー板は、入口から侵入した小動物が奥に移動することにより奥に向かって傾斜するよう構成されるとともに、入口から侵入した小動物が奥に移動して奥に向かって傾斜した状態で入口を閉鎖するよう構成され、
上記シーソー板がロックフリー状態のときに、シーソー板が奥に向かって下り傾斜となる動作を検知して確認可能とする動作確認手段と、
上記奥に向かって下り傾斜となったシーソー板の傾斜状態を保持してロック可能なロック機構とを備え、
上記ロック機構は、ロックフリー状態とロック可能状態とを切り換え可能になっていることを要旨とする。
【発明の効果】
【０００７】
本発明の小動物捕獲器によれば、上記奥に向かって傾斜したシーソー板の傾斜状態を保持してロック可能なロック機構を備えているため、小動物が入口から侵入して奥に移動したときに、シーソー板が奥に向かって傾斜したときにロック機構でシーソー板がロックされるため、捕獲した小動物が暴れたとしても逃げられることがない。また、上記シーソー板がロックフリー状態のときに、シーソー板が奥に向かって下り傾斜となる動作を検知して確認可能とする動作確認手段を備え、上記ロック機構がロックフリー状態とロック可能状態とを切り換え可能になっていることから、上記動作確認手段により、小動物が捕獲箱内に入ってシーソー板をある程度動作させたことを確認してからロック機構をロックフリー状態からロック可能状態に切り換えることができる。このようにすることにより、未ロックでシーソー板がフリーで動作する状態で暫く放置し、小動物がシーソー板を傾斜させる位置まで侵入してシーソー板を動作させたことを動作確認手段で確認することができる。そして、シーソー板が動作したことを確認してからロック可能状態に切り換えることで、小動物を逃がすことなく確実に捕獲することができる。
【０００８】
本発明において、上記ロック機構は、シーソー板が入口との間に隙間を作る第１段階と入口を閉鎖する第２段階との２段階にシーソー板の傾斜状態を保持してロック可能な場合には、小動物が入口から侵入して奥に移動したときに、シーソー板が奥に向かって傾斜したときに、まず、シーソー板は、入口との間に隙間を作る第１段階でロックされる。このとき、小動物の尻尾は上記隙間によってシーソー板に挟まれることがないうえ、この状態でシーソー板がロックされることから、捕獲箱から外へは逃げることが出来ない。つぎに、尻尾まで捕獲箱内に収容されてから小動物がさらに奥に進んだときに、シーソー板が入口を閉鎖する第２段階でロックされるため、入り込んだ小動物は完全に捕獲箱内に捕獲される。
【０００９】
本発明において、上記シーソー板の奥側端部には、シーソー板の奥側端部と捕獲箱の床面を傾斜面で橋渡すブリッジ部材が連結されている場合には、シーソー板が途中までしか傾斜しない場合でも、ブリッジ部材によってシーソー板の奥側端部と捕獲箱の床面が傾斜面で橋渡されるため、シーソー板の奥側端部が中に浮いて道がなくなるような状態にならない。すなわち、シーソー板がシーソー動作したときでも、シーソー板の奥側すなわち小動物がシーソー板から降りる側が、床面から高く離れる状態にならないため、小動物が怖がって引き返す確率が少なくなり、小動物の取り逃がしが大幅に少なくなって捕獲率のアップにつながる。
【図面の簡単な説明】
【００１０】
【図１】本発明の一実施の形態における小動捕獲器の全体構造を示す斜視図である。
【図２】上記小動物捕獲器の動作を説明する縦断面図であり、（Ａ）はロックフリー状態のシーソー板動作前であり、（Ｂ）はロックフリー状態のシーソー板動作後であり、（Ｃ）はロック可能状態である。
【図３】ロック可能状態のロック機構の動作を説明する要部拡大図であり、（Ａ）は未ロック状態、（Ｂ）は第１段階のロック状態、（Ｃ）は第２段階のロック状態を示す。
【図４】上記小動物捕獲器の要部拡大図であり、シーソー板の傾斜状態を示す図である。
【発明を実施するための最良の形態】
【００１１】
以下、本発明の小動物捕獲器の実施の形態について、図面を参照して詳細に説明する。図１〜図４は本発明の一実施形態における小動物捕獲器を示す図である。
【００１２】
この小動物捕獲器は、捕獲箱１の横面に形成された入口２を閉鎖することにより上記入口２から侵入した小動物を捕獲するものである。図において、符号９は小動物を誘引するための餌９である。
【００１３】
より詳しく説明すると、上記捕獲箱１は、前後方向に延びる直方体状に形成され、前側の壁面下側に入口２が開口している。また、上記捕獲箱１内には、上記入口２に臨むようにシーソー板３が設けられている。上記シーソー板３は、左右の壁面にわたって設けられた軸４により前後にシーソー式に回動しうるようになっている。
【００１４】
上記シーソー板３は、軸４に対して入口２側が長く、奥側が短くなるように設定されるとともに、シーソー板３の奥側の下面には錘５が取り付けられている。これにより、上記シーソー板３は、初期状態では入口２側から奥に向かって登り傾斜となり、入口２から侵入した小動物がシーソー板３上を奥に移動することにより回動して奥に向かって傾斜するようバランスされている。
【００１５】
さらに、上記シーソー板３は、入口２から侵入した小動物が奥に移動して奥に向かって傾斜した状態で、入口側端部３ａが入口２の開口縁２ａの高さを超えることによりシーソー板３が入口２を閉鎖するよう構成されている。
【００１６】
上記シーソー板３の奥側端部には、シーソー板３の奥側端部と捕獲箱１の床面を傾斜面で橋渡すブリッジ部材８が連結されている。上記ブリッジ部材８は、シーソー板３の奥側端部に対して薄肉ヒンジや軸等により屈曲可能に連結される。例えば、薄肉ヒンジとして樹脂製の粘着テープ等によって連結することができる。これにより、シーソー板３がシーソー動作したときでも、シーソー板３の奥側すなわち小動物がシーソー板３から降りる側が、床面から高く離れる状態にならないため、小動物が怖がって引き返す確率が少なくなり、捕獲率が向上する。
【００１７】
上記シーソー板３の軸４より奥側には、捕獲箱１の側壁に上下に延びるように形成した第１スリット１１をスライド可能に通過するピン１２が設けられている。上記シーソー板３がシーソー動作する際に、上記ピン１２が第１スリット１１内を上下スライド移動するようになっている。上記ピン１２には、ピン１２を上向き付勢する付勢部材としてのスプリング１３が取り付けられ、小動物がシーソー板３に乗って奥側に進んだときに、シーソー板３が急激に傾くのを防止する。これによって、シーソー板３に乗った小動物が奥側に進んだときに、シーソー板３がゆっくりと傾き、小動物を驚かさず、驚いて逃げることが減り、捕獲率が向上する。
【００１８】
この小動物捕獲器は、上記奥に向かって下り傾斜となったシーソー板３の傾斜状態を保持してロック可能なロック機構６を備えている。この例では、上記ロック機構６は、捕獲箱１の入口２寄りの片側の外側に設けられている。また、この小動物捕獲器は、上記シーソー板３がロックフリー状態のときに、シーソー板３が奥に向かって下り傾斜となる動作を検知して確認可能とする動作確認手段７を備えている。そして、上記ロック機構６は、ロックフリー状態とロック可能状態とを切り換え可能になっている。
【００１９】
図２は、動作確認手段７とロック機構６の切り替え状態を説明する図である。
【００２０】
図２（Ａ）は、シーソー板３がロックフリー状態で初期状態すなわちシーソー動作を開始する前の状態である。上記ロック機構６は、捕獲箱１の側壁において、上記シーソー板３の軸４より入口２側に上下に延びるように形成された第２スリット１４と、上記シーソー板３に取り付けられて上記第２スリット１４をスライド可能に通過する軸１７と、上記捕獲箱１の外側において軸１７に回動可能に取り付けられたロックプレート１５と、捕獲箱１の側壁の外側面に突出して上記ロックプレート１５と係合してロック状態を可能とするロックピン１６とを含んで構成されている。
【００２１】
上記ロック機構６は、ロックプレート１５を縦にした状態でロックフリー状態となり、ロックプレート１５をロックピン１６側に倒した状態でロック可能状態となる。すなわち、ロックプレート１５を、軸１７を中心に回動させて縦にしたり横に倒したりすることでロックフリー状態とロック可能状態とを切り換えるようになっている。
【００２２】
また、上記動作確認手段７は、上記ロックプレート１５よりも少し入口２側において捕獲箱１の側壁外側に設けられ、軸１９を中心に回転可能な回転プレート１８を含んで構成されている。上記回転プレート１８にはフック２０が突出形成され、上記シーソー板３が奥側に向かって傾斜するシーソー動作を行う際に、上記ロックフリー状態のロックプレート１５に形成された爪２１がフック２０に引っかかるようになっている。
【００２３】
図２（Ｂ）は、ロックフリー状態のシーソー板３が、シーソー動作を行なった後の状態である。すなわち、初期状態では、回転プレート１８の回転位置を、フック２０がロックプレート１５側に位置するように決めておく。その状態でシーソー板３に小動物が乗って奥側に進み、シーソー板３が奥側に向かって傾斜するシーソー運動をすると、ロックフリー状態すなわち縦向きになったロックプレート１５の入口２側に突設された爪２１が、回転プレート１８のフック２０に引っかかり、回転プレート１８を後方に回転させる。回転プレート１８は回転した状態で留まるため、フック２０の位置が横位置から上位置に変化したことで、シーソー板３が奥に向かって下り傾斜となるシーソー動作を検知して確認することができるようになっている。
【００２４】
このとき、ロックプレート１５の爪２１が回転プレート１８を回転させた後、上記爪２１が捕獲箱１側壁のピン２２に係止する位置まで上昇してそれ以上は上昇しないようシーソー板３の傾斜角度を規制するように構成されている。この状態において、シーソー板３の入口側端部３ａと捕獲箱１入口２の開口縁２ａとの間に隙間ができるようになっている。例えば、ロックプレート１５の爪２１がピン２２に係止したときのシーソー板３の傾斜角度は、後述する第１段階のロック状態と同様の傾斜角度とすることができる。このようにすることにより、ロックフリー状態で侵入した小動物の尻尾が、シーソー板の入口側端部３ａと入口２の開口縁２ａとの間に挟まれないため、小動物に警戒されることによる捕り逃がしを防止できる。
【００２５】
図２（Ｃ）は、ロックプレート１５を横倒しにしたロック可能状態である。上述したように、シーソー板３がシーソー動作したことを検知した後、ロックプレート１５を倒してロックフリー状態からロック可能状態に切り換える。このとき、ロックプレート１５を軸１７を中心に奥側に倒してロックピン１６に当接させる。
【００２６】
図３は、ロック可能状態のロック機構６の動作を説明する図である。
【００２７】
図３（Ａ）は、図２（Ｃ）と同じ状態で、ロックプレート１５を横倒しにしたロック可能状態であって、ロック動作が行われる前の未ロック状態である。上記ロックプレート１５は、横倒しにしたロック可能状態でロックピン１６と当接する部分よりも先端側に、第１の係止部２３と第２の係止部２４とが順に設けられている。
【００２８】
ロック動作前の未ロック状態では、シーソー板３は初期位置すなわち入口２側に向かって下り傾斜の位置であり、ロックプレート１５が取り付けられる軸１７は、第２スリット１４の下部に位置している。
【００２９】
図３（Ｂ）は、第１段階のロック状態であり、上記初期状態のシーソー板３に小動物が乗って奥側に向かって進み、シーソー板３がシーソー動作を開始して徐々に奥側に向かって回動を始めると、それに連れてロックプレート１５が取り付けられる軸１７が第２スリット１４内で上昇を始める。すると、ロックプレート１５はロックピン１６との当接状態を維持して徐々に回動し、ロックプレート１５のロックピン１６上でのスライドが進み、やがて第１の係止部２３がロックピン１６に係止して第１段階のロック状態となる。
【００３０】
上記第１の係止部２３は段部として形成され、そのままでは第１段階のロック状態は解除されないが、さらにロックプレート１５のロックピン１６上でスライドして第２のロック状態に進むことができるようになっている。
【００３１】
図３（Ｃ）は、第２段階のロック状態であり、上記第１のロック状態からさらに小動物が奥側に向かって進み、シーソー板３がシーソー動作を継続して奥側に向かって下り傾斜になるよう回動すると、それに連れてロックプレート１５が取り付けられる軸１７が第２スリット１４内でさらに上昇する。ロックプレート１５はロックピン１６との当接状態を維持してさらに回動し、ロックプレート１５のロックピン１６上でのスライドが進み、やがて第２の係止部２４がロックピン１６に係止して第２段階のロック状態となる。
【００３２】
上記第２の係止部２４は凹部として形成され、そのままでは第２段階のロック状態は解除されず、ロックプレート１５はロックピン１６上でそれ以上スライドしないようになっている。
【００３３】
図４は、初期状態（図示の（Ｓ））、第１のロック状態（図示の（Ｏ））、第２のロック状態（図示の（Ｔ））でのシーソー板３の入口側端部３ａと、入口２の開口縁２ａとの位置関係を示す図である。このように、上記ロック機構６は、シーソー板３が入口２との間に隙間を作る第１段階のロック状態と、入口２を閉鎖する第２段階のロック状態との２段階にシーソー板３の傾斜状態を保持してロックするよう構成されている。
【００３４】
上記ロック状態を解除するには、ロックプレート１５を元の縦位置に戻すように回動させることで、第１の係止部２３または第２の係止部２４とロックピン１６との係止が解除されてロック状態が解除される。そして、回転プレート１８を、フック２０が元の横位置にくるまで戻すことにより、動作確認手段７を初期状態に戻すことができる。
【００３５】
上記捕獲箱１の入口２上部の開口縁２ａには、入口２から捕獲箱１内に進入した小動物の尻尾がシーソー板３と捕獲箱１の間に挟まれるのを防止する切欠き１０が形成されている。これにより、小動物が入口２から侵入して奥に移動し、シーソー板３が奥に向かって傾斜してロック機構６でロックされたときに、小動物の尻尾は上記切欠き１０によってシーソー板３に挟まれることがないうえ、この状態でシーソー板３がロックされることから、箱から外へは逃げることが出来ず、入り込んだ小動物は完全に捕獲箱内に捕獲される。
【００３６】
このように、上記奥に向かって傾斜したシーソー板３の傾斜状態を保持してロック可能なロック機構６を備えているため、小動物が入口２から侵入して奥に移動したときに、シーソー板３が奥に向かって傾斜したときにロック機構６でシーソー板３がロックされるため、捕獲した小動物が暴れたとしても逃げられることがない。また、上記シーソー板３がロックフリー状態のときに、シーソー板３が奥に向かって下り傾斜となる動作を検知して確認可能とする動作確認手段７を備え、上記ロック機構６がロックフリー状態とロック可能状態とを切り換え可能になっていることから、上記動作確認手段７により、小動物が捕獲箱１内に入ってシーソー板３をある程度動作させたことを確認してからロック機構６をロックフリー状態からロック可能状態に切り換えることができる。このようにすることにより、未ロックでシーソー板３がフリーで動作する状態で暫く放置し、小動物がシーソー板３を傾斜させる位置まで侵入してシーソー板３を動作させたことを動作確認手段７で確認することができる。そして、シーソー板３が動作したことを確認してからロック可能状態に切り換えることで、小動物を逃がすことなく確実に捕獲することができる。
【００３７】
このように、ロックフリー状態で餌付けしたのちロック可能状態に切り換えて捕獲することが可能となり、捕獲率が格段に向上する。そして、集団行動をする動物を捕獲する場合、ロックフリー状態で捕獲箱を複数設置して餌付けし、その後一斉にロック可能状態に切り換えることにより、大量捕獲も可能となる。設置した翌日に回収すれば、生け捕りも可能である。また、ロックの仕組みが簡単なことから、連続捕獲の仕組みに発展させることも容易である。さらに、ロックの作動する音が極めて小さいため、他の動物が学習することも少ない。
【００３８】
また、上記ロック機構６は、シーソー板３が入口２との間に隙間を作る第１段階と入口２を閉鎖する第２段階との２段階にシーソー板３の傾斜状態を保持してロック可能なため、小動物が入口２から侵入して奥に移動したときに、シーソー板３が奥に向かって傾斜したときに、まず、シーソー板３は、入口２との間に隙間を作る第１段階でロックされる。このとき、小動物の尻尾は上記隙間によってシーソー板３に挟まれることがないうえ、この状態でシーソー板３がロックされることから、捕獲箱１から外へは逃げることが出来ない。つぎに、尻尾まで捕獲箱１内に収容されてから小動物がさらに奥に進んだときに、シーソー板３が入口２を閉鎖する第２段階でロックされるため、入り込んだ小動物は完全に捕獲箱１内に捕獲される。
【００３９】
また、上記シーソー板３の奥側端部には、シーソー板３の奥側端部と捕獲箱１の床面を傾斜面で橋渡すブリッジ部材８が連結されているため、シーソー板３が途中までしか傾斜しない場合でも、ブリッジ部材８によってシーソー板３の奥側端部と捕獲箱１の床面が傾斜面で橋渡されるため、シーソー板３の奥側端部が中に浮いて道がなくなるような状態にならない。すなわち、シーソー板３がシーソー動作したときでも、シーソー板３の奥側すなわち小動物がシーソー板３から降りる側が、床面から高く離れる状態にならないため、小動物が怖がって引き返す確率が少なくなり、小動物の取り逃がしが大幅に少なくなって捕獲率のアップにつながる。
【００４０】
このように、小動物を捕獲する際に、他の小動物が捕獲装置であることを学習して捕獲しにくくなることを防ぐことができ、クマネズミ等の警戒心の強い小動物を捕獲する場合等に有効である。
【００４１】
本発明の捕獲器において、捕獲箱１の奥部に、一方通行の狭い出口通路を形成し、捕獲した小動物を通過させ、この通過の際に、小動物の背中や腹部に両面粘着剤を貼付した発信器を取り付けるようにすることも可能である。
【符号の説明】
【００４２】
１：捕獲箱
２：入口
２ａ：開口縁
３：シーソー板
３ａ：入口側端部
４：軸
５：錘
６：ロック機構
７：動作確認手段
８：ブリッジ部材
９：餌
１０：切欠き
１１：第１スリット
１２：ピン
１３：スプリング
１４：第２スリット
１５：ロックプレート
１６：ロックピン
１７：軸
１８：回転プレート
１９：軸
２０：フック
２１：爪
２２：ピン
２３：第１の係止部
２４：第２の係止部
【図１】
2010193848.tif 000003
【図２】
2010193848.tif 000004
【図３】
2010193848.tif 000005
【図４】
2010193848.tif 000006